(57)【要約】      （修正有）【課題】多量の排尿を貯留することが可能であり、かつ所定の気密性が保たれて尿や臭気等が外部に漏れ難い動物用トイレを提供する。【解決手段】動物用トイレＴは、排尿容器１と収容容器２を備え、上記排尿容器は、側面１０Ａ〜１０Ｄと、当該側面部に対して横設されている水平支持板と、当該水平支持板の上部の導尿板１４とを備える。上記収容容器は、処理体収容カップ２１と防臭容器２０とを備え、上記導尿板と水平支持板には、それぞれともに連通する排尿孔１４ａが形成されている。上記収容容器の設置時において、防臭容器の上面部が、上記水平支持板の排尿孔の周囲を囲繞した状態で、気密性を保持するように密着している。【選択図】図１
2013074819.tif 000002
【特許請求の範囲】
【請求項１】
排尿容器と排尿の収容容器とを備える動物用トイレにおいて、
前記排尿容器は、鉛直方向に立設し、前記収容容器を取出し又は設置するための開口部を２つ以上有している側面部と、当該側面部に対して横設されている防臭部と、当該防臭部の上部に設けられている排尿部とを備えるとともに、
前記収容容器は、排尿収容具と当該排尿収容具が取出し自在に収容される別体の防臭容器とを備えるものであり、
前記排尿部及び前記防臭部には、それぞれともに連通する排尿孔が形成されており、
前記収容容器は、前記側面部を介して、取出し又は設置自在に設けられているとともに、
前記収容容器の設置時において、前記防臭容器の上面部が、前記防臭部の排尿孔の周囲を囲繞した状態で、前記防臭部の下面に気密性を保持するように密着し、
前記排尿収容具は、前記防臭部の前記排尿孔から導かれる前記排尿をその内部に貯留可能となるように配置されていることを特徴とする動物用トイレ。
【請求項２】
前記排尿部に形成されている前記排尿孔において、前記非吸液性排尿処理材が収容されている袋体を取り付けるためのネジ部が形成されていることを特徴とする請求項１に記載の動物用トイレ。
【請求項３】
前記排尿部に形成されている前記排尿孔と、前記防臭部に形成されている前記排尿孔との間の排尿路において、消臭材料又は吸臭材料が内装されていることを特徴とする請求項１又は請求項２に記載の動物用トイレ。
【発明の詳細な説明】
【技術分野】
【０００１】
本発明は、愛玩動物等の動物用トイレに関する。
【背景技術】
【０００２】
近時、室内での愛玩動物等の飼育が非常に盛んになってきており、排泄物の処理を効果的に行うための動物用トイレが提案されている。例えば、図９に示すように、上方が開口し、尿液を透過等させるための透過材層９１を形成している浅皿状内箱９０と、この浅皿状内箱９０が嵌着されることにより、その下方に空間部９９が形成できるように、深さが浅皿状内箱９０より深く形成された深皿状外箱９２から形成されている動物用トイレＳが存在している。この動物用トイレＳにおいて、上記空間部９９には、上端に開口部９３ａを有し、当該開口部９３ａが浅皿状内箱９０の底部に設けられた排水口９０ａに着脱自在に嵌入吊持されることにより、上記透過材層９１と連通し、かつ、消臭剤９４が内蔵されたカートリッジ型容器９３が内装されている（特許文献１参照）。
【先行技術文献】
【特許文献】
【０００３】
【特許文献１】特開平２−２２２６３０公報
【発明の概要】
【発明が解決しようとする課題】
【０００４】
しかし、従来の動物用トイレＳでは、深皿状外箱９２と浅皿状内箱９０の二重箱構造であり、カードリッジ型容器９３を取り替える際には、図示しない覗き窓を開閉して、当該部分から行うといった煩雑な作業が必要となるという問題点を有していた。
また、上記カートリッジ型容器９３は、浅皿状内箱９０の底部に吊持されている。ところが、排尿は液体であるため所定の重量を有しており、吊持する重量には、構造上の限界があるため、多量の排尿を貯留することは難しいという問題点を有していた。
さらに、上面に開口部を有しているため、排尿の臭気が外部に漏れることを防止することが難しいという問題点が存在していた。
【０００５】
本発明は、上記の問題点を解決するためになされたものであり、多量の排尿を貯留することが可能であり、かつ所定の気密性が保たれることにより臭気等が外部に漏れ難い動物用トイレを提供することを目的とする。
【課題を解決するための手段】
【０００６】
上記課題を解決するために、本発明は、排尿容器と排尿の収容容器とを備える動物用トイレにおいて、上記排尿容器は、鉛直方向に立設し、上記収容容器を取出し又は設置するための開口部を２つ以上有している側面部と、当該側面部に対して横設されている防臭部と、当該防臭部の上部に設けられている排尿部とを備えるとともに、上記収容容器は、排尿収容具と当該排尿収容具が取出し自在に収容される別体の防臭容器とを備えるものであり、上記排尿部及び上記防臭部には、それぞれともに連通する排尿孔が形成されており、上記収容容器は、上記側面部を介して、取出し又は設置自在に設けられているとともに、上記収容容器の設置時において、上記防臭容器の上面部が、上記防臭部の排尿孔の周囲を囲繞した状態で、上記防臭部の下面に気密性を保持するように密着し、上記排尿収容具は、上記防臭部の上記排尿孔から導かれる上記排尿をその内部に貯留可能となるように配置されていることを特徴としている。
【０００７】
ここで、収容容器の設置時において、排尿収容具の配置方法は、（１）防臭部の排尿孔の下方に、カップ状の容器、箱状の容器あるいは袋状体を配置すること、（２）排尿収容具として、開口部にネジ部を有するペットボトル状の筒状体（開口部にネジ部を有する袋状体でもよい）を用い、上記排尿容器の防臭部における排尿孔に、筒状体のネジ部と螺合するネジ部を設け、両ネジ部により螺設すること、（３）上記排尿孔の部分に凸状部を形成し、弾性体等によりその部分に袋状体を繋着することなど、その態様は問わないものである。
【０００８】
また、上記排尿収容具の形状、材質等は問わないが、袋状体に構成すれば、未使用時の保管の際にコンパクトに折り畳んでおけるため好適である。
【０００９】
本発明によれば、排尿容器の側面部に開口部を有しているため、その部分から収容容器を簡易に挿入可能であるとともに、排尿後に、再び、当該収容容器を簡易に取出し可能であり、排尿を吸収した汚液吸収体の取り扱いを容易に行うことができる。
また、上記収容容器は、空間部に吊持されるのではなく、排尿収容具と当該排尿収容具が取出し自在に収容される別体の防臭容器とを備え、当該排尿収容具は、底部が支持面に載置されている防臭容器に直接的に支持されているため、多量の排尿をその内部に貯留することができる。
【００１０】
また、排尿容器は、その側面部において、収容容器を取出し又は設置するための開口部を２つ以上有しているため、何らかの事情により、一方向の開口部が塞がっていた場合であっても、開放されている開口部から収容容器の取り出し、装着を行うことができる。
【００１１】
さらに、収容容器の設置時において、当該防臭容器の上面部が、上記防臭部の排尿孔の周囲を囲繞した状態で、上記防臭部の下面に気密性を保持するように密着して配置されているため、防臭容器が排尿容器の防臭部を下方から支持することができる。そのため、本発明では、開口部を広くして、軽量化を図った場合であっても、耐荷性能に優れた構造を実現することが可能となる。
【００１２】
また、排尿容器は、排尿部と防臭部の二重構造であり、なおかつ、収容容器の設置時において、当該防臭容器の上面部が、上記防臭部の排尿孔の周囲を囲繞した状態で、上記防臭部の下面に気密性を保持するように密着して配置されているため、上記収容容器と排尿容器の防臭部との間に隙間がなくなり、所定の水密性及び気密性が保たれて尿や臭気等を外部に漏れ難くすることができる。
【００１３】
さらに、収容具には、排尿吸収体（吸液性排尿処理材）を入れておくことが可能であるため、当該排尿吸収体に吸収された排尿が所定量になった場合に、そのままの状態で廃棄することができるため、その取り替えを衛生的かつ容易に行うことができる。
【００１４】
また、本発明の動物用トイレにおいて、上記排尿部に形成されている上記排尿孔において、上記非吸液性排尿処理材が収容されている袋体を取り付けるためのネジ部が形成されている構成とすることもできる。
【００１５】
通常、非吸液性排尿処理材は、所定重量の袋体に封入された状態で流通している。そこで、非吸液性排尿処理材の袋体の所定位置にねじ部が設けられていることを前提にした場合において、本発明によれば、上記排尿部に形成されている排尿孔において、上記袋体を取り付けるためのネジ部が形成されているため、当該袋体自体を利用して上記非吸液性処理体を排尿部に容易に敷設することができる。
また、排尿孔と、袋体を強固に接合することができるため、臭気を漏れにくくすることができる。
【００１６】
さらに、本発明の動物用トイレにおいて、上記排尿部に形成されている上記排尿孔と、上記防臭部に形成されている上記排尿孔との間の排尿路において、消臭材料が内装されているものとすることもできる。
【００１７】
ここで、排尿部に形成されている排尿孔と、防臭部に形成されている排尿孔との間の排尿路の長さ及び形態等に制限はないが、各排尿孔が隣接して配置されているものであってもよい。
また、消臭材料及び脱臭材料は、活性炭、ゼオライト等の物理的吸着物質、二酸化チタン等の金属酸化物、有機窒化系物質等の化学的吸着物質を直接的に排尿路に設けることや、各種吸着物質を備えるフィルタ部材として設けるなど、その設置方法は問わないものである。
【００１８】
本発明によれば、上記排尿部において消臭材料が内装されているため、排尿による臭気を効果的に防止することができる。
【発明の効果】
【００１９】
本発明によれば、多量の排尿を貯留することが可能であり、かつ所定の気密性が保たれることにより臭気等が外部に漏れ難い動物用トイレを提供することができる。
【図面の簡単な説明】
【００２０】
【図１】本発明の動物用トイレ（第１実施形態）を示す斜視図である。
【図２】本発明の動物用トイレ（第１実施形態）の収容容器を示す斜視図である。
【図３】本発明の動物用トイレ（第１実施形態）を示す断面図である。
【図４】本発明の動物用トイレ（第１実施形態の変形例）を示す斜視図である。
【図５】本発明の動物用トイレ（第１実施形態の変形例）を示す斜視図である。
【図６】本発明の動物用トイレ（第２実施形態）を示す断面図である。
【図７】本発明の動物用トイレ（第３実施形態）を示す断面図である。
【図８】（ａ）図７（ａ）における一点鎖線部の拡大図である。            （ｂ）本発明の動物用トイレ（第４実施形態）を示す断面図である。
【図９】従来の動物用トイレを示す断面図である。
【発明を実施するための形態】
【００２１】
本発明を実施するための一形態（以下、「実施形態」という。）について、図面を参照して詳細に説明する。なお、以下の説明において、同一の部材等には同一の符合を付し、重複した説明を省略する。
【００２２】
＜第１実施形態＞
図１〜図３に示すように、本実施形態の動物用トイレＴ１は、排尿容器１と、収容容器２とから構成されている。
【００２３】
（１）排尿容器１
排尿容器１は、合成樹脂を原材料としており、所定の厚みの板状体による四方の側面１０Ａ〜１０Ｄを有し、平面視で長方形となるように形成されている。そして、各側面１０Ａ〜１０Ｄにおける略半分の高さ位置に、当該各側面１０Ａ〜１０Ｄと直交する方向に、上記平面視で長方形となる領域の全面にわたって、水平支持板１２が横設されている（この水平支持板１２が防臭部を形成することになる）。
また、相対する長手方向の２つの側面１０Ａ，１０Ｃ（図１における手前側及び対向する面）においては、水平支持板１２の下方の全面において、それぞれ長方形形状の側面開口部１１Ａ，１１Ｃが形成されており、排尿容器１における水平支持板１２の下方の内部空間は中空となっている。
【００２４】
水平支持板１２の中央部には円形状の排尿孔１２ａ（図３参照）が穿設されている。
そして、水平支持板１２の四周の縁部には、導尿板１４の縁部を支持するための周縁部材１５が各側面１０Ａ〜１０Ｄと密着するよう、等水平支持板１２と排尿容器１の各側面１０Ａ〜１０Ｄの上端部の略半分の高さ位置に至るように設けられている。
【００２５】
また、導尿板１４は、愛玩動物の排尿を排尿容器１の内部空間に導くために設けられており、排尿容器１の上面部の領域を下面とする四角錐の側面部の形状を有している（但し、四周に口字状部が付設されている）。そして、当該四角錐の頂部には、円形状の排尿孔１４ａが穿設されており、導尿板１４の排尿孔１４ａと水平支持板１２の排尿孔１２ａが接するように、口字状部が周縁部材１５の上面に載置するように設けられている。
【００２６】
上記構造により、導尿板１４の上面部と各側面１０Ａ〜１０Ｄで囲まれる領域に所定の深さとなるように凹部１３（排尿部）が形成されることになり、この部分に非吸液性排尿処理材３１を敷設できるようになっている。また、排尿が排尿孔１４ａに導かれるように、導尿板１４には適度の傾斜が形成されるようになっている。
なお、排尿容器１の全体は、凹部１３の上部に愛玩動物が載り、排尿を行うことが可能となるように所定の耐久性能を有するように形成されている。
【００２７】
非吸液性排尿処理体３１は、公知の紙粉或いはその他の有機性廃棄物材料と、接着剤を主な構成材料としている。この非吸液性排尿処理体３１は、ほぼ水分を吸水しない非吸水型の粒状処理体である。その形状は、小塊の形状に形成されていればよく、完全な球形等である必要はないものであり、柱状体（細長形）、扁平形等、その形状は問わないものである。
なお、この非吸液性排尿処理体３１は、押出造粒等の公知の造粒方法で製造することができるが、吸水性を有しないように、一般的な粒状体と比較して高硬度に形成される必要がある。
【００２８】
また、接着剤は、非吸液性排尿処理体３１を粒状に成形するために用いるものであり、公知の材料を用いることができる。但し、非吸液性排尿処理体３１は非吸水性能を有するため、接着剤は、吸水性を有さない性質であることが好適である。
【００２９】
（２）収容容器２
図２に示すように、収容容器２は、防臭容器２０と、排尿収容具としての処理体収容カップ２１とから構成されている。
【００３０】
防臭容器２０は、合成樹脂を原材料としており、底面部２０ａ及び周壁部２０ｂを有し、外形が略立方体形状であり、内側に正八角柱である、処理体収容カップ２１の収容部が形成されている。この防臭容器２０は、排尿容器１の側面開口部１１Ａ，１１Ｃの高さと略同一の高さであり、側面開口部１１Ａ，１１Ｃの幅と比較して手で把持しながら引き出し及び挿入可能な幅となるように形成されている。これにより、防臭容器２０は、処理体収容カップ２１を底面部２０ａ及び周壁部２０ｂにより安定的に保持して収容可能となっている。
【００３１】
処理体収容カップ２１は、底面部２１ａ及び周壁部２１ｂを有し、内部に排尿を貯留するための中空状の容器である。処理体収容カップ２１は、内側にポリエチレンラミネート加工が施されている紙製のカップ又はポリプロピレン等を原材料とするプラスティック製のカップであり、上端から下端に向かって徐々に小幅となる円錐台形状に形成されている。処理体収容カップ２１は、後述する複数の排尿吸収体３２（図３参照）で満たされている。処理体収容カップ２１は、防臭容器２０に固着されておらず、上部に引き抜くことにより分離して取出自在となるように収納されているに過ぎない構造となっている。
【００３２】
処理体収容カップ２１に充填されている排尿吸収体３２は、公知である吸液性の粒状処理体の製造過程等で発生する構成材料の粉体（吸液性の粒状処理体と同様の構成材料）を用いると、これまで、廃棄等していた材料を使用することができるため経済的である。もちろん、吸液性の粒状処理体を用いてもよいことは言うまでもない。
【００３３】
上記吸液性の粒状処理体は、芯部と、この芯部の表面を被覆する被覆層部とから形成される複層構造を有しており、それらの構成材料が混練されている水分を吸収する吸収型の粒状処理体をいう。
【００３４】
芯部の構成材料は、一定量の液体を自身の有する間隙等に保持することが可能となる一定程度の吸液性能又は保液性能を有している保水材料であれば、その材質等に制限はない。例えば、紙由来の有機物廃材であるバージンパルプ、綿状に形成されているパルプ廃材、トイレットペーパー廃材、ティッシュペーパー廃材、化粧紙廃材、ちり紙廃材、紙タオル廃材、不織布廃材、プラスティック廃材の粉砕物、木材料の粉砕物（例えば、廃木材の粉砕物、ヒバ油又はヒノキチオール含有の木材粉砕物）等の中の１種類又は複数種類の混合物を用いることができる。
【００３５】
また、保水材料には、ベントナイト、ゼオライト、酸化チタン等の無機質材料等を用いることもできる。
なお、脱臭材料、消臭材料、防虫作用・殺菌作用を有する物質、着色物質等の、吸水性能を阻害することなく他の効果を奏することが可能となるような物質を配合することもできる。
【００３６】
被覆層部は、使用時に尿等で濡れた粒状処理体同士を付着させて塊状とさせ、排尿をその周囲から包み込む等の作用を奏させることを主な目的としている。このような被覆層部の構成材料の例としては、多量の液体を吸収してゲル化し当該液体を保持する機能を有する高分子材料（ポリマー）である吸水性樹脂又は接着材料（接着性を有する材料）又は両材料の混合物と、紙粉の混合物を用い、これらを混練して製造することが好適である。
接着材料としては、例えば、糊料やポリアクリル酸ナトリウム等の高吸水性樹脂がある。このような接着剤として機能する糊料としては、馬鈴薯澱粉、小麦澱粉、甘藷澱粉、コーンスターチ、タピオカ澱粉、米澱粉、デキストリン、各アルファ（α）化した澱粉などの澱粉類、アクリルアミド、ポリビニルアルコール（ＰＶＡ）、カルボキシメチルセルロース（ＣＭＣ）又はアルギン酸ナトリウムを使用することができ、又はこれら二以上を組み合わせて使用することができる。
【００３７】
そして、収容容器２の設置時には、排尿容器１の側面開口部１１Ａ，１１Ｃから、処理体収容カップ２１が挿設されている防臭容器２０を挿入して、水平支持板１２の排尿孔１２ａの周囲を囲繞するように、防臭容器２０の上面部を位置決めすることにより、当該水平支持板１２の下面に防臭容器２０の上面が気密性を保持した状態で密着し、排尿や臭気が外部に漏れ難い構造となっている。
【００３８】
［作用効果等］
続いて、本実施形態の動物用トイレＴ１の使用方法を説明する。
まず、排尿容器１の凹部１３に、所定量の非吸液性排尿処理材３１を敷設する。
続いて、所定量の排尿吸収体３２を、処理体収容カップ２１に充填する。そして、予め開放されている前後の側面開口部１１Ａ，１１Ｃのいずれか一方から（以下も同様）、排尿吸収体３２が充填された処理体収容カップ２１を防臭容器２０の中空部にセットする。さらに、処理体収容カップ２１がセットされた防臭容器２０を愛玩動物の飼い主等が把持して、排尿容器１の側面開口部１１Ａ，１１Ｃから挿入し、排尿容器１の排尿孔１４ａが防臭容器２０の上面部のほぼ中央部になるように、位置決めする。このとき防臭容器２０の上面を排尿容器１の水平支持板１２が塞ぐため、所定の水密性及び気密性が保たれ、排尿や臭気が外部に漏れ難くなっている。
【００３９】
続いて、排尿容器１の凹部１３から、愛玩動物に排尿させる。排尿は、複数の非吸液性排尿処理材３１の間を通過する過程で、排尿の悪臭等が吸着されながら、導尿板１４及び水平支持板１２の各排尿孔１４ａ，１２ａを通り、その真下の処理体収容カップ２１の上部開口部からその内部に充填されている排尿吸収体３２に達し、当該排尿吸収体３２に吸収される。
【００４０】
その後、排尿吸収体３２に排尿が十分に吸収されたと思われるタイミングで、防臭容器２０を側面開口部１１Ａ，１１Ｃを通じて引き出す。そして、防臭容器２０にセットされている処理体収容カップ２１を取り上げて、充填されている排尿吸収体３２とともに、ゴミとして廃棄し、その後、新たな処理体収容カップ２１に排尿吸収体３２を充填し、防臭容器２０にセットし、上記手順を繰り返すことになる。なお、排尿を吸収した部分の排尿吸収体３２のみを処理体収容カップ２１から取り出して廃棄し、補填してもよい。
【００４１】
以上のように、本実施形態の動物用トイレＴ１によれば、収容容器２は、排尿容器１の側面開口部１１Ａ，１１Ｃから手を差し入れることで取出し自在となるように構成されており、加えて、処理体収容カップ２１は、防臭容器２０と別体であり、取出し自在に収容されているため、処理体収容カップ２１及び排尿を吸収した排尿吸収体３２を使い捨てにより容易に取り替えることができるので防臭容器２０等の清掃等が不要で取り扱いを容易に行うことができる。
【００４２】
また、上記収容容器２は、空間部に吊持されるのではなく、処理体収容カップ２１と別体の防臭容器２０とを備え、当該処理体収容カップ２１は、底部が支持面（動物用トイレＴ１の設置されている床面等）に載置されている防臭容器２０に直接的に支持されているため、多量の排尿をその内部に貯留することができる。
また、排尿後に防臭容器２０から取り出した処理体収容カップ２１から排尿を吸収した排尿吸収体３２を別途取り除いて廃棄することもでき、材質等に基づく廃棄区分等に応じた適切な処理を容易に行うことができる。
【００４３】
また、防臭容器２０は、排尿容器１の水平支持板１２の下面にその上面を密着させることができ、当該防臭容器２０の上面を水平支持板１２が塞ぐことになる。したがって、所定の水密性及び気密性を保つことができるため、排尿や臭気を外部に漏れ難くすることができる。このとき、臭気は、排尿孔１２ａからのみ、外部に漏れる可能性があるが、排尿孔１２ａの上部は、非吸液性排尿処理材３１によりほぼ塞がれており、当該非吸液性排尿処理材３１により逆流した臭気を吸収することができるため、排尿容器１の内部に臭気が籠もることなく、また臭気が外部に漏れることを防止することができる。
【００４４】
また、排尿容器１は、その側面部において、収容容器２を取出し又は設置するための役割を果たさせるために２つの側面開口部１１Ａ，１１Ｃが形成されているため、例えば、本発明の動物用トイレＴ１の一方向の側面開口部１１Ｃを壁に近接して設置した場合であっても、他方向の側面開口部１１Ａから収容容器２の取り出し、装着を行うことができる。この側面開口部１１Ａ，１１Ｃは、予め開口するように形成されているため、収容容器２を装着等する場合に、側面部を開放する等の煩雑な作業が不要になるとともに、軽量かつデザインに優れた構造とすることが可能となる。
【００４５】
なお、上記第１実施形態の動物用トイレＴ１では、直方体の四方の側面のうちの２つの側面のみに側面開口部１１Ａ，１１Ｃを設ける構造としている。しかし、側面開口部の数は、２つ以上存在していれば上記効果を奏することができるものであり、図４に示すように、四方の側面の総ての面に側面開口部１１Ａ〜１１Ｄを設ける構造とした動物用トイレＴ１’とすることもできる。
【００４６】
上記本実施形態の動物用トイレＴ１’では、４つの側面開口部１１Ａ〜１１Ｄの存在により、さらに軽量化することができる。この場合であっても、排尿容器１が、収容容器２の設置時において、当該防臭容器２の上面部が、上記水平支持板１２の排尿孔１２ａの周囲を囲繞した状態で、その下面に密着して配置されているため、防臭容器２０が排尿容器１の水平支持板１２を下側から強固に支持することができるため、耐荷性能に優れた構造とすることができる。
【００４７】
＜第１実施形態の変形例＞
図５に示すように、上記第１実施形態の動物用トイレＴ１において、第１階段構成部材７１と、第２階段構成部材７２とをさらに備えることもできる。第１階段構成部材７１と、第２階段構成部材７２は、同一形状を有する２段のステップを有する踏み台であり（但し、段数は問わない）、収容しやすいように、分割されて構成されている。
【００４８】
この第１階段構成部材７１及び第２階段構成部材７２は、未使用時には、排尿容器１の側面開口部１１Ａ，１１Ｃから防臭容器２０の両側の位置にそれぞれ挿入され、排尿容器１の下部空間に格納することができるようになっている。
そして、使用時には、排尿容器１の側面開口部１１Ａ，１１Ｃから取り出され、側面開口部１１Ａ，１１Ｃが設けられている側面１０Ａ，１０Ｃに隣接する側面１０Ｂ，１０Ｄのうちいずれか側に接して階段状となるように配置され、両階段構成部材７１，７２が一体となり、幅広の階段部を形成することができるようになっている（もちろん、所望の側面１０Ａ〜１０Ｄのいずれの側に用いてもよい）。
【００４９】
なお、第１階段構成部材７１及び第２階段構成部材７２の内部に、取り出し自在の引き出し部が設けられているものとすることもできる。この引き出し部には、吸水処理材等、本動物用トイレに必要となる用具類等を収納することとすれば好適である。
【００５０】
このような、本実施形態の動物用トイレＴ１”によれば、第１階段構成部材７１及び第２階段構成部材７２が階段部を形成することで、排尿容器１の凹部１３の高さが高い場合であって、子猫等の小動物が利用する場合であっても、排尿容器１の凹部１３に容易に載ることができる。
また、第１階段構成部材７１及び第２階段構成部材７２を、排尿容器１の下部空間に格納することができるで、省スペースかつ保管時の安全性が実現できるとともに、格納時には、第１階段構成部材７１及び第２階段構成部材７２が水平支持板１２を下方から支持することができるため、耐力面での補強に寄与する効果も奏することになる。
【００５１】
＜第２実施形態＞
図６に示すように、本実施形態の動物用トイレＴ２は、排尿容器１と収容容器３とから構成されているが、その基本的な構成は上記の第１実施形態の動物用トイレＴ１と同様であり、当該収容容器３のみが異なっているため、その相違点について説明する。
【００５２】
防臭容器２０’は底面部２０ａ、周壁部２０ｂのほかに上面部２０ｃを有する立方体の中空容器である。上面部２０ｃの中央部には、水平支持板１２の排尿孔１２ａ以上の開口面積を有する所定の形状の排尿孔２０ｄが穿設されている。
また、収容容器３における排尿収容具として、処理体収容カップ２１の代わりに、ポリエチレン製等の処理体収容袋２１２が用いられている。この処理体収容袋２１２は、周縁部の先端が防臭容器２０’の上面部２０ｃを覆うことが可能な程度の大きさに形成されている。そして、処理体収容袋２１２は、防臭容器２０’の内部に設けられるとともに、開口部の部分が排尿孔２０ｄから外側に引き出され、防臭容器２０’の上面部２０ｃの全面を覆うとともに、一部が周壁部２０ｂの上方を覆っている。
【００５３】
続いて、本実施形態の動物用トイレＴ２の使用方法のうち上記の第１実施形態の動物用トイレＴ１との相違点について説明する。
まず、排尿吸収体３２が充填された処理体収容袋２１２を開口部が上方となる位置に防臭容器２０’の中空部にセットし、防臭容器２０’の排尿孔２０ｄから処理体収容袋２１２の周縁部を引き出して、防臭容器２０の上面部２０ｃを覆うように被覆する。さらに、そのように処理体収容袋２１２がセットされた防臭容器２０’を把持して、排尿容器１の側面開口部１１Ａ，１１Ｃから挿入し排尿容器１の排尿孔１４ａ，１２ａが防臭容器２０’の排尿孔２０ｄの略中央部となるように位置決めする。このとき処理体収容袋２１２に覆われた防臭容器２０’の上面部２０ｃを排尿容器１の水平支持板１２が塞ぐため、所定の水密性及び気密性が保たれ、尿や臭気が外部に漏れ難くなっている。
【００５４】
このような、本実施形態の動物用トイレＴ２によれば、第１実施形態の動物用トイレＴ１と同様の効果を奏するとともに、処理体収容袋２１２を防臭容器２０’の上面部２０ｃと排尿容器１の水平支持板１２とで挟んで設置することで、処理体収容袋２１２の安定性を簡易かつ確実に確保できる。
また、防臭容器２０’の存在により、形状が崩れやすい処理体収容袋２１２の内部に、排尿を保持させやすいことになる。また、カップ状の排尿収容具に比べて、処理体収容袋は未使用時の保管の際にコンパクトに折り畳んでおけるので広い収納場所を必要としないという効果を有する。
【００５５】
＜第３実施形態＞
図７に示すように、本発明の第３実施形態の動物用トイレＴ３は、排尿容器１’と、収容容器４とから構成されており、その基本的な構成は上記の第１実施形態の動物用トイレＴ１と同様であるため、相違点について説明する。
【００５６】
排尿容器１’の導尿板１４’は、排尿孔１４ａ’の部分と連続して、筒状の排尿路１４ｂ’が突設している。この排尿路１４ｂ’は、水平支持板１２の中央部の排尿孔１２ａを通って鉛直方向に延伸しており、さらに、その先端部には、水平支持板１２の下面との間に所定の空隙ができる位置から水平方向へ延伸して係止部１４ｃ’が形成されている。
【００５７】
また、収容容器４における排尿収容具として、処理体収容カップ２１の代わりにポリエチレン等の処理体収容袋２１３が使用されている。この処理体収容袋２１３は、開口部の周縁部には、横幅が狭くなるように絞り部２１３ａが形成されており、先端部の所定長さの部分が折り返されて２重になって容着されている。そして、当該絞り部２１３ａには、ゴム製のリング部材４１が内装されている。この絞り部２１３ａは、導尿板１４’の係止部１４ｃ’に、リング部材４１の内側方向に向かう復元力（弾性体の付勢力）によって繋着されている。
【００５８】
続いて、本実施形態の動物用トイレＴ３の使用方法のうち、上記の第１実施形態の動物用トイレＴ１との相違点について説明する。
まず、排尿吸収体３２が充填された処理体収容袋２１３を、絞り部２１３ａが上方となるように防臭容器２０の中空部にセットする。さらに、そのように処理体収容袋２１３がセットされた防臭容器２０を把持して、排尿容器１’の側面開口部１１Ａ，１１Ｃから挿入し、導尿板１４’の排尿孔１４ａ’が防臭容器２０の上面開放部分のほぼ中央部となるように位置決めし、処理体収容袋２１４の絞り部２１３ａを手で係止部１４ｃ’を覆うように一旦押し広げた後に手を離して、リング部材４１の復元力を利用して係止部１４ｃ’に繋着させる。このとき絞り部２１３ａの弾性力により、処理体収容袋２１３を排尿路１４ｂ’に強固に繋着することができるため、所定の水密性及び気密性が保たれ、尿や臭気を外部に漏れ難くすることができる。
【００５９】
本実施形態の動物用トイレＴ３によれば、第１実施形態の動物用トイレＴ１と同様の効果を奏するとともに、係止部１４ｃ’に、処理体収容袋２１３の絞り部２１３ａを繋着させることで、処理体収容袋２１４の安定性を簡易かつ確実に確保できる。
また、防臭容器２０の存在により、形状が崩れやすい処理体収容袋２１３の内部に、排尿を保持させやすくすることができる。
【００６０】
＜第４実施形態＞
図８（ａ），（ｂ）に示すように、本実施形態の動物用トイレＴ４は、排尿容器１”と、収容容器５とから構成されており、その基本的な構成は上記の第１実施形態の動物用トイレＴ１と同様であるため、相違点について説明する。
但し、本実施形態の動物用トイレＴ４では、凹部１３に敷設される非吸液性排尿処理材３１に関し、流通時において、袋体５２（ポリエチレン等を材料とし、容易に開封可能な袋体）密封されているものを使用することを前提としており、さらに、上記袋体５２の下面の略中央部には、導尿板１４”へ取り付けるための雄ネジ部５２ａが突設されている場合を想定している。
【００６１】
本実施形態の動物用トイレＴ４は、収容容器５における排尿収容具として、処理体収容カップ２１の代わりに、合成樹脂製のペットボトル状である収容ボトル２１４が用いられている。この収容ボトル２１４は、防臭容器２０に形成されている空間部に収容することができる形状の筒状体に形成されており、上部の突出部には、水平支持板１２’の排尿孔１２ａ’に形成されている雌ネジ部１２ｂ’に取り付けるための雄ネジ部２１４ａが形成されている。
【００６２】
また、上記のとおり、導尿板１４”の排尿孔１４ａ”には、袋体５２の雄ネジ部５２ａと螺合する雌ネジ部１４ｂ”が形成されている。
また、水平支持板１２’の排尿孔１２ａ’における袋体５２の雄ネジ部５２ａと、収容ボトル２１４の雄ネジ部２１４ａとの間には、公知の消臭材料を内部に備えている円柱状の消臭フィルタ６２が内装されている。
【００６３】
続いて、本実施形態の動物用トイレＴ４の使用方法のうち、上記の第１実施形態の動物用トイレＴ１との相違点について説明する。
まず、所定量の排尿吸収体３２を、収容ボトル２１４に充填し、当該収容ボトル２１４を防臭容器２０に挿設する。そして、排尿容器１”の側面開口部１１Ａ，１１Ｃから挿入し、水平支持板１２’の排尿孔１２ａ’が防臭容器２０の上面開放部分のほぼ中央部となるように位置決めして、収容ボトル２１４の雄ネジ部２１４ａを水平支持板１２の雌ネジ部１２ｂ’にねじ込む。このとき、雄ネジ部２１４ａと雌ネジ部１２ｂ’により、所定の水密性及び気密性が保たれ、排尿や臭気が外部に漏れ難くなっている。
【００６４】
また、非吸液性排尿処理材３１が封入されている袋体５２を排尿容器１”の凹部１３に載置して、袋体５２の雄ネジ部５２ａを導尿板１４”の雌ネジ部１４ｂ”にねじ込む。そして、袋５２の上方部となる一側面側を破り広げて開放し、非吸液性排尿処理材３１を露出させる。
【００６５】
その後、排尿容器１”の凹部１３において敷設された非吸液性排尿処理材３１の上から愛玩動物に排尿させると、導尿板１４”の排尿孔１４ａ”を通り、その後、消臭フィルタ６２を通過する過程で脱臭されるとともに、水平支持板１２の各排尿孔１２ａ”を通り、収容ボトル２１４の開口部から、その内部に導かれる。
【００６６】
上記のように、本実施形態の動物用トイレＴ４によれば、収容ボトル２１４の雄ネジ部２１４ａと水平支持板１２’の雌ネジ部１２ｂ’の存在により、当該収容ボトル２１４と水平支持板１２’とを簡易かつ確実に接合することができるとともに、所定の水密性及び気密性が保たれ、尿や臭気が外部に漏れ難くすることができる。
【００６７】
また、非吸液性排尿処理材３１が封入されている袋体５２の雄ネジ部５２ａを導尿板１４”の雌ネジ部１４ｂ”にねじ込むことにより、所定の水密性及び気密性が保たれ、尿や臭気が外部に漏れ難くすることができるとともに、袋体５２の存在により、導尿板１４”の汚れ等を防止することができる。
さらに、導尿板１４”の排尿孔１４ａ”と水平支持板１２’の排尿孔１２ａ’の間の導尿路の中途部に相当する部分に、消臭フィルタ６２が介装されているため、臭気が収容容器５から逆流してくる場合も含めて、排尿による臭気を効果的に吸収することができる。
【００６８】
以上、本発明について、好適な実施形態についての一例を説明したが、本発明は当該各実施形態に限られず、本発明の趣旨を逸脱しない範囲で適宜設計変更が可能である。
特に、排尿容器、防臭容器および処理体収容カップ等の形状、材質等に制限はなく、各実施形態の効果を奏することができる構造であればどのような構造でもよい。
特に、排尿容器は、底面部を有しない構造としたが、底面部を有する直方体形状の容器としてもよい。
【００６９】
また、上記の各実施形態では、排尿孔、収容容器の数を１つとした場合を例として説明したが、開口部、処理体収容器数には制限はなく、またそれらの位置及び形状等も動物用トイレの大きさ等により、適切に定められるものである。
また、排尿容器は、透明材料で形成されていれば、その内部の状況が認識可能となるため特に好適である。
【符号の説明】
【００７０】
Ｔ１〜Ｔ４，Ｔ１’，Ｔ１”      動物用トイレ
１，１’，１”      排尿容器
２〜５      収容容器
１０Ａ〜１０Ｄ      側面
１１Ａ〜１１Ｄ      側面開口部
１２      水平支持部
１２ａ，１２ａ’      排尿孔
１２ｂ’，１４ｂ”      雌ネジ部
１３      凹部
１４，１４’，１４”      導尿板
１４ａ，１４ａ’，１４ａ”      排尿孔
２０      防臭容器
２１      処理体収容カップ
２１２，２１３      処理体収容袋
２１４    収容ボトル
３１      非吸液性排尿処理体
３２      排尿吸収体
５２      袋体
５２ａ，２１４ａ      雄ネジ部
６２      消臭フィルタ
７１      第１階段構成部材
７２      第２階段構成部材
【図１】
2013074819.tif 000003
【図２】
2013074819.tif 000004
【図３】
2013074819.tif 000005
【図４】
2013074819.tif 000006
【図５】
2013074819.tif 000007
【図６】
2013074819.tif 000008
【図７】
2013074819.tif 000009
【図８】
2013074819.tif 000010
【図９】
2013074819.tif 000011